(57)【要約】【課題】  電線の心線と端子との接続の信頼性を確保することができる端子装置を提供する。【解決手段】  それぞれ導電材料からなり電線４の心線４１が電気的に接続される３個の端子３と、絶縁材料からなり各端子３をそれぞれ保持する端子台２とを備える。端子台２には、電線４の心線４１を挟んで端子３へガイドする心線ガイド突起２１ａと、電線４において絶縁被覆４２が剥かれていない部位をガイドする被覆ガイド溝２３ａとが設けられている。電線４の心線４１を端子３上に導入する際に電線４が心線ガイド突起２１ａと被覆ガイド溝２３ａとによってガイドされるから電線４の接続が容易である。また、電線４の心線４１を端子３に接続する際に電線４の位置ずれが心線ガイド突起２１ａと被覆ガイド溝２３ａとによって防止されるから、接続の信頼性が確保される。【選択図】図１
2008084617.tif 000002
【特許請求の範囲】
【請求項１】
絶縁被覆を有する電線が接続される端子装置であって、
それぞれ導電材料からなり電線の心線が電気的に接続される少なくとも１個の端子と、絶縁材料からなり各端子をそれぞれ保持する端子台とを備え、
端子台には、電線の心線を電線の径方向の両側から挟んで端子へガイドする心線ガイド部と、電線において絶縁被覆が剥かれていない部位を電線の径方向の両側から挟んでガイドする被覆ガイド部とが設けられていることを特徴とする端子装置。
【請求項２】
端子装置において少なくとも端子と電線との接続部は封止材で封止されるものであって、端子台において封止材に覆われる部位の外形を封止材に覆われない部位の外形よりも小さくする段が端子台に設けられていることを特徴とする請求項１記載の端子装置。
【発明の詳細な説明】
【技術分野】
【０００１】
本発明は、電線が接続される端子装置に関するものである。
【背景技術】
【０００２】
従来から、充電部を収納し該充電部に電気的に接続された電線が引き出されるハウジングを有するロータリスイッチなどの電気器具が提供されている（例えば、特許文献１参照）。
【０００３】
この種の電気器具は、導電材料からなり電線が接続される端子を、絶縁材料からなる端子台に保持してなる端子装置を備える。
【０００４】
絶縁被覆を有する電線を端子に接続する場合、例えば抵抗溶接によって電線の心線と端子とを電気的且つ機械的に接続していた。
【特許文献１】特開２００４−２３１０９４号公報
【発明の開示】
【発明が解決しようとする課題】
【０００５】
しかし、上記抵抗溶接の際に電線の心線を端子に接触した状態に保つことが難しく、電線の心線と端子との接続の信頼性を確保することができなかった。
【０００６】
本発明は、上記事由に鑑みて為されたものであり、その目的は、電線の心線と端子との接続の信頼性を確保することができる端子装置を提供することにある。
【課題を解決するための手段】
【０００７】
請求項１の発明は、絶縁被覆を有する電線が接続される端子装置であって、それぞれ導電材料からなり電線の心線が電気的に接続される少なくとも１個の端子と、絶縁材料からなり各端子をそれぞれ保持する端子台とを備え、端子台には、電線の心線を電線の径方向の両側から挟んで端子へガイドする心線ガイド部と、電線において絶縁被覆が剥かれていない部位を電線の径方向の両側から挟んでガイドする被覆ガイド部とが設けられていることを特徴とする。
【０００８】
この発明によれば、電線の心線を端子上に導入する際に電線が心線ガイド部と被覆ガイド部とによってガイドされるから電線の接続が容易である。また、電線の心線を端子に接続する際に電線の位置ずれが心線ガイド部と被覆ガイド部とによって防止されるから、接続の信頼性が確保される。
【０００９】
請求項２の発明は、端子装置において少なくとも端子と電線との接続部は封止材で封止されるものであって、端子台において封止材に覆われる部位の外形を封止材に覆われない部位の外形よりも小さくする段が端子台に設けられていることを特徴とする。
【００１０】
この発明によれば、段によって封止材の流出範囲が制限されるから、段を設けず且つ封止材の成型用の金型に段に相当する部位を設けない場合に比べ、段の方向への封止材の流出範囲を封止材の圧力によって制御する必要がないから封止時の条件が緩和されて封止が容易となる上に、端子台と封止材との接触面積が増加する。
【発明の効果】
【００１１】
本発明によれば、電線の心線をガイドする心線ガイド部と電線において被覆が剥かれていない部位をガイドする被覆ガイド部とが設けられているから、電線の接続が容易であるとともに、電線の心線を端子に接続する際に電線の位置ずれが心線ガイド部と被覆ガイド部とによって防止されるから、接続の信頼性が確保される。
【発明を実施するための最良の形態】
【００１２】
以下、本発明を実施するための最良の形態について、図面を参照しながら説明する。
【００１３】
図１及び図２に示すように、本実施形態に係る電気器具（例えばロータリスイッチ）のハウジング１には、合成樹脂からなる端子台２と、ハウジング１内の充電部（図示せず）に電気的に接続されるとともに端子台２から露出する形で端子台２に保持された金属製の端子３とを備える端子装置が設けられている。以下、左右方向は図１を基準とし、図１の下上方向を前後方向と呼び、図１の紙面手前方向を上方向と呼ぶ。端子３には、金属のような導電材料からなる心線４１と心線４１を覆う絶縁被覆４２とを有する電線４の心線４１が、例えば抵抗溶接により電気的且つ機械的に接続される。
【００１４】
端子台２は、３個の端子をそれぞれ上面に露出させる形で左右に並べて保持した本体部２１と、本体部２１の左右両端からそれぞれ上方へ突設されるとともに本体部２１の全端よりも前方まで延長された側部２２と、側部２２の前上端間に架設された押さえ部２３とを有する。側部２２の前面の下端部は、上方へ向かって前方へ傾斜している。
【００１５】
本体部２１において端子３の左右には、それぞれ端子３に接続される電線４の心線４１を左右両側すなわち電線４の径方向の両側から挟んでガイドする心線ガイド突起２１ａが設けられている。
【００１６】
また、押さえ部２３の下面には、電線４において絶縁被覆４２が剥かれていない部位を左右両側すなわち電線４の径方向の両側から挟んでガイドする被覆ガイド溝２３ａが設けられている。
【００１７】
さらに、上記端子装置は、例えば合成樹脂のような封止材によって封止される。ここで、本体部２１の後側には、端子台２の他の部位よりも上下左右に突出して請求項２における段を構成する鍔部２４が設けられており、上記封止の際には封止に用いられる封止材の後方への流出範囲が鍔部２４によって制限される。これにより、鍔部２４を設けず且つ封止材の成型用の金型に鍔部２４に相当する部位を設けない場合に比べ、後方への封止材の流出範囲を封止材の圧力によって制御する必要がないから封止時の条件が緩和されて封止が容易となる上に、端子台２と封止材との接触面積が増加する。図３及び図４に示すように、封止材が成型されてなる封止体５は、端子台２の鍔部２４以外の部位と端子３とを覆う直方体形状の基部５１と、基部５１の前側（図４における左側）に連続して電線４を囲みそれぞれ電線４の周方向に長い複数個の凹部５２ａを外周面に有して電線４に断線が生じない程度に屈曲可能なブッシュ部５２とを有する。ブッシュ部５２において基部５１に近い側の端部の外形は、ブッシュ部５２の他の部位よりも大きくなっている。封止体５を構成する封止材としては、例えばエラストマのような柔軟な材料を用いることが望ましい。また、電線４において封止体５のブッシュ部５２の前方に突出する部位にはチューブ６が取り付けられ、封止体５に覆われない範囲では電線４はチューブ６に保護されている。チューブ６の後端部は、封止体５のブッシュ部５２の前端部に被さっている。
【００１８】
上記構成によれば、電線４の心線４１を端子３上に導入する際に電線４が心線ガイド突起２１ａと被覆ガイド溝２３ａとによってガイドされるから電線４の接続が容易である。
【００１９】
また、電線４の心線４１を端子３に接続する際に電線４の位置ずれが心線ガイド突起２１ａと被覆ガイド溝２３ａとによって防止されるから、接続の信頼性が確保される。
【００２０】
さらに、電線４の心線４１が複数本の細線からなる場合であって、心線４１のばらけを防ぐためのはんだ付け等の前処理を行わない場合であっても、心線４１のばらけが心線ガイド突起２１ａによって抑えられる。
【００２１】
また、従来、電線引き出し部にはコネクタが設けられ、そのコネクタから電線を引き出すように構成されていたので電線引き出し部の形状はコネクタの形状に制限を受けていたが、封止体５により電線引き出し部を保護する構成としたことにより、電線引き出し部の形状の自由度が向上し、電線の屈曲を防止するブッシュ部５２の形状を一体に形成することもできる。
【図面の簡単な説明】
【００２２】
【図１】本発明の実施形態を示す斜視図である。
【図２】同上を示す、図１とは異なる方向から見た斜視図である。
【図３】同上において端子装置が封止された状態を示す斜視図である。
【図４】同上において端子装置が封止された状態を示す側面図である。
【符号の説明】
【００２３】
２  端子台
３  端子
４  電線
５  封止体
２１ａ  心線ガイド突起
２３ａ  被覆ガイド溝
２４  鍔部
４１  心線
４２  絶縁被覆
【図１】
2008084617.tif 000003
【図２】
2008084617.tif 000004
【図３】
2008084617.tif 000005
【図４】
2008084617.tif 000006